(57)【要約】      （修正有）【課題】調整操作が容易で且つ調整が確実であるとともに組み立ても容易なピボット蝶番を提供する。【解決手段】下側蝶番を構成する下側受け金具１１は扉の下端面への取付板１１３と、取付板１１３から垂直に立ち上がる基板１１４が立設され、基板１１４の互いに対向する側壁１１５ａ，１１５ｂ間に貫通・架設して支持されたガイド軸５１により扉枠体に取り付ける下側軸金具の枢着軸１２１が嵌挿する受け穴１１１を形成する受け穴部材が所定幅で左右に移動できるように支持されるとともに、受け穴部材の内側面１１２ａには内側に位置する側壁１１５ａの外方から挿通した左右調整ネジ６１が噛合するネジ溝を備えた調整ネジ孔が設けられ、左右調整ネジ６１の回転により左右にスライドする構成とした。【選択図】図３ｂ
2007100427.tif 000002
【特許請求の範囲】
【請求項１】
上向きのピボット軸が立設された軸部材を有し扉の上側に取り付けられる上側軸金具と前記上側軸金具のピボット軸が嵌挿する受け穴を有し扉枠体の上側に配置される上側受け金具とが前記扉枠体前方の持ち出し位置において互いに軸着してなる上側蝶番、および上向きの枢着軸が立設され扉枠体の下側に配置される下側軸金具と前記下側軸金具の枢着軸が嵌挿する受け穴が形成された受け穴部材を有し扉の下側に取り付けられる下側受け金具とが前記扉枠体前方の持ち出し位置において互いに軸着してなる下側蝶番、からなるピボット蝶番において、前記上側蝶番の軸部材および前記下側蝶番の受け穴部材がそれぞれ扉面に沿うガイド軸により左右方向に移動可能に且つ扉面に沿う左右調整ネジにより左右方向に調節可能に配置されており、前記扉の閉状態において扉取り付け位置を左右方向に調整可能としたことを特徴とするピボット蝶番。
【請求項２】
前記上下の蝶番におけるガイド軸は、それぞれ前記軸部材または前記受け穴部材を各々左右に貫通して各金具内で支持するものとされている請求項１記載のピボット蝶番。
【請求項３】
前記上下の蝶番における左右調整ネジは、それぞれ前記軸部材または前記受け穴部材に各金具内に内側から差し込まれて片持ち式に支持されている請求項１または２記載のピボット蝶番。
【発明の詳細な説明】
【技術分野】
【０００１】
本発明は、間口や仕切部において、枢着軸を扉枠体前方に持ち出した位置で支持して扉を開閉可能に扉枠に取り付けるピボット蝶番に関するものである。
【背景技術】
【０００２】
従来、間口や仕切部において大きな開度で扉を開閉させる目的で、扉枠に扉を軸着・支持するピボット蝶番として、上向きのピボット軸が立設された軸部材を有し扉の上側に取り付けられる上側軸金具と前記上側軸金具のピボット軸が嵌挿する受け穴を有し扉枠体の上側に配置される上側受け金具とが前記扉枠体前方の持ち出し位置において互いに軸着してなる上側蝶番、および上向きの枢着軸が立設され扉枠体の下側に配置される下側軸金具と前記下側軸金具の枢着軸が嵌挿する受け穴が形成された受け穴部材を有し扉の下側に取り付けられる下側受け金具とが前記扉枠体前方の持ち出し位置において互いに軸着してなる下側蝶番からなるピボット蝶番が用いられている。
【０００３】
そして、特開２００２―２４２５１４公報に、突出方向に付勢されたピボットを備えて扉に装着する軸金具（扉金具）と、扉枠に装着する受け金具（扉枠金具）とからなるピボット蝶番において、左右方向に位置調整可能な差し込みブロックが担持されたケーシングを軸金具の基部に有し、これを扉に埋め込むことにより調節ネジで扉の左右方向の位置調整を可能とするとともに、下側軸金具のピボットの基端周囲に設けたナット部材を回転させることにより、扉の上下位置の調整をも行えるようにしたピボット蝶番が提案されている。
【０００４】
このピボット                                                          蝶番は、扉位置を３次元方向に調整できるばかりか、扉の閉状態においても上下位置の調整を可能として、扉の位置調整作業を比較的容易としたものであるが、扉の左右方向の調整を扉の閉状態で行うことができないとともに、高さ調整もピボット基部のナット部材をレンチで回転させて行う必要があって、調整作業に手間がかかる。さらに、軸金具を扉に装着するには、差し込みブロックを担持したケーシングを扉に埋め込む作業が必要となり、施工手順が多く労力を要するものである。特に、近年普及しているアルミ製扉に適用する場合、専用に設計されたアルミ扉にしか適用できないという問題もある。
【０００５】
また、ピボット蝶番において、扉の位置調整作業を容易に実施できるようにするとともに、その構成をシンプルかつ堅牢にして、低コストかつメンテナンスを容易にするために、上側蝶番の軸部材および前記下側蝶番の受け穴部材がそれぞれ扉面に沿う左右調整ネジにより左右方向に調節可能に配置されているピポット軸受けが特開２００４−２７０１９７号公報に提示されている。
【０００６】
しかしながら、特開２００４−２７０１９７号公報に提示されているピポット軸受は、受け穴部材を受け金具に配置した扉面に沿う１つの左右調整ネジにより左右方向に調節するものである。そのため、左右方向への動きが円滑でなく、調整しくい。特に、取り付けた扉の閉状態で調節するので扉の荷重が掛かっている受け金具を左右調節ネジだけで移動させることになり、更に、左右調整ネジは受け金具に架設するものであって、長さを必要とすることから受け金具との接触抵抗が大きくネジ操作に大きな回転力が必要である。
【０００７】
更に、組み立てる際にも左右調節ネジにおけるネジ部分の殆どを受け金具に螺入させて先端をかしめることになり、組み立ても容易でない。
【発明の開示】
【発明が解決しようとする課題】
【０００８】
本発明は、上記のような問題点を解決しようとするものであり、調整操作が容易で且つ調整が確実であるとともに組み立ても容易なピボット蝶番を提供することを課題とするものである。
【課題を解決するための手段】
【０００９】
そこで、本発明は、上向きのピボット軸が立設された軸部材を有し扉の上側に取り付けられる上側軸金具と前記上側軸金具のピボット軸が嵌挿する受け穴を有し扉枠体の上側に配置される上側受け金具とが前記扉枠体前方の持ち出し位置において互いに軸着してなる上側蝶番、および上向きの枢着軸が立設され扉枠体の下側に配置される下側軸金具と前記下側軸金具の枢着軸が嵌挿する受け穴が形成された受け穴部材を有し扉の下側に取り付けられる下側受け金具とが前記扉枠体前方の持ち出し位置において互いに軸着してなる下側蝶番からなるピボット蝶番において、前記上側蝶番の軸部材および前記下側蝶番の受け穴部材がそれぞれ扉面に沿うガイド軸により左右方向に移動可能に且つ扉面に沿う左右調整ネジにより左右方向に調節可能に配置されており、前記扉の閉状態において扉取り付け位置を左右方向に調整可能としたことを特徴とする。
【００１０】
また、前記手段において、上下の蝶番におけるガイド軸は、それぞれ前記軸部材または前記受け穴部材を各々左右に貫通して各金具内で支持する構成、前記上下の蝶番における左右調整ネジは、それぞれ前記軸部材または前記受け穴部材に各金具内に内側から差し込まれて片持ち式に支持されている構成とすることが好ましい。
【発明の効果】
【００１１】
以上の手段を有する本発明によれば、受け穴部材は、ネジ溝がなく円滑に滑動するガイド軸により支持されるので動きがよく左右調整が容易であるとともに、ガイド軸と左右調節ネジとにより確実にガイドされ、且つ、特に、下側受け金具にあってはガイド軸と左右調節ネジとにより扉の荷重を支持することになり、耐久性にも優れている。
【００１２】
また、上下の蝶番におけるガイド軸が、それぞれ前記軸部材または前記受け穴部材を各々左右に貫通して各金具内で支持する構成を有する場合には、前記上下の蝶番における左右調整ネジは、それぞれ前記軸部材または前記受け穴部材に各金具内に内側から差し込まれて片持ち式に支持されるので、左右調整ネジは受け穴部材を支持したりガイドする役目よりも、受け穴部材の位置を調節する役目を主とすることから、例えば、左右調整ネジは調節代分だけの長さがあれば足り、この場合には、受け穴部材との接触抵抗も少ないので小さな回転力で調節できるばかりか従来のように受け穴部材を貫通するまで差し込む必要がなく組み立ても容易である。
【００１３】
更に、上下の蝶番におけるガイド軸が、それぞれ前記軸部材または前記受け穴部材を各々左右に貫通して各金具内で支持する構成を有する場合には、前記上下の蝶番における左右調整ネジは、それぞれ前記軸部材または前記受け穴部材に各金具内に内側から差し込まれて片持ち式に支持されている構成
【発明を実施するための最良の形態】
【００１４】
次に、本発明の実施の形態について、図面を用いながら以下に詳細に説明する。
尚、本発明においては、上下の蝶番が持ち出される方向、即ち、扉が大きく拡開する方向を扉前方としている。
【００１５】
図面は、本発明の好ましい実施の形態を示すものであり、本実施の形態であるピボット蝶番は、図１に示すように扉３の下側端を支持する下側蝶番Ａと図２に示すように扉３の上側端を支持する上側蝶番Ｂとから構成され、下側蝶番Ａは、先端に支持ボール１２３が配置された上向きの枢着軸１２１が立設され扉枠体４の下側に配置され、取付板１２２により扉枠体４に取り付ける下側軸金具１２と、下側軸金具１２の枢着軸１２１が嵌挿する受け穴１１１が形成された受け穴部材１１２を有し取付板１１３により扉３の下側に取り付けられる下側受け金具１１とが前記扉枠体４前方の持ち出し位置において互いに軸着して形成され、上側蝶番Ｂは、上向きのピボット軸２１１が立設された軸部材２１２を有し扉３の上側に取り付けられる上側軸金具２１と上側軸金具２１のピボット軸２１１が嵌挿する受け穴２３１を有し扉枠体４の上側に配置される上側受け金具２３とが扉枠体４前方の持ち出し位置において互いに軸着して構成される。
【００１６】
更に詳しく説明すると、下側蝶番Ａを構成する下側軸金具１１は、図１および図３（ａ）乃至図３（ｅ）に示すように、複数のネジ孔１１３ａを有する扉３の下端面３１への取付板１１３と、前記取付板１１３から垂直に立ち上がる平面が前方に開口したコ字形の基板１１４が立設されているとともに、この基板１１４の互いに対向する側壁１１５ａ，１１５ｂ間に貫通・架設して支持されたガイド軸５１により、前記下側軸金具１２の枢着軸１２１が嵌挿する受け穴１１１が形成された受け穴部材１１２が所定幅で左右に移動できるように支持されているとともに前記受け穴部材１１２の内側面１１２ａには内側に位置する側壁１１５ａの外方から挿通した左右調整ネジ６１が噛合するネジ溝を備えた調整ネジ孔１１６が設けられ、左右調整ネジ６１の回転により左右にスライドさせられるようになっている。
【００１７】
また、受け穴部材１１２はその先端側において受け穴１１１が上下に貫通して設けられており、受け穴１１１の上部を上下調整ネジ７１が塞ぐとともに、これが受け穴１１内壁のネジ溝と噛合して上下に移動できるようになっている。即ち、上下調整ネジ７１の下面に配置した支持板７１１が下側軸金具１２の先端に配置した支持ボール１２３に当接し、上下調整ネジ７１を回転・移動させることで扉３の上下取付け位置の調整が行われる。
【００１８】
更に、下側受け金具１１における前記基板１１４の前方及び上方部分には前記左右調整ネジ６１と上下調整ネジ７１の頭部を露出させたカバー体８１が被覆されている。
【００１９】
一方、扉３の上側に装着する上側蝶番Ｂを構成する上側軸金具２１は、図２及び図４（ａ）乃至図４（ｄ）示すように、複数のネジ孔２２３を有する扉３の上端面３２への取付板２２２と、前記取付板２２２から垂直にたれ下がる平面が前方に開口したコ字形の基板２２４が立設されているとともに、この基板２２４の互いに対向する側壁２２５ａ，２２５ｂ間に架設したガイド軸５２により、前記上側受け金具２３の受け穴２３１に挿入・支持される上向きのピボット軸２１１が立設された軸部材２１２が所定幅で左右に移動できるように支持されているとともに前記軸部材２１２の内側面２１２ａには内側に位置する側壁２２５ａの外方から挿通した左右調整ネジ６２が噛合するネジ溝を備えた調整ネジ孔２２６が設けられ、左右調整ネジ６２の回転により左右にスライドさせられるようになっている。
【００２０】
特に、本実施の形態では左右調整ネジ６２は、取り付けた際に外部から見えにくい内側に位置する側壁１２５ａの外方から挿通されており、内側に位置する側壁１２５ａにだけ上面および側面を覆うカバー体８２を介して外部に露出するので美観的にも優れている。
【００２１】
また、軸部材２１２におけるピボット軸２１１はほぼ円柱状で、先端側（上側）約半分が大径部２１１ａをなすとともに基端側（下側）約半分が小径部２１１ｂをなし、基端にフランジ２１１ｃを有している。そして、貫通孔２１３はピボット軸２１１の大径部２１１ａを挿入・摺動できる内径を有しているが、その下側開口部は小径部２１１ｂが摺動可能なだけの内径に狭小化されている。そして、貫通孔２１３の内部にバネ２１４を備えてピボット軸２１１が上下に摺動可能かつ上方向に付勢された状態で支持されている。
【００２２】
一方、上側受け金具２３は、ネジ孔２３３，・  ・  ２３３を備えた扉枠体４への取付板２３１と前記軸部材２１２に支持されるピボット軸２１１の受け穴部材２３２を有し、受け穴部材２３２はその下面側中央にピボット軸２１１の大径部２１１ａが挿入できる受け穴２３２ａを備えている。
【００２３】
次に、本実施の形態のピボット蝶番の扱い手順および作用について説明する。
先ず、扉枠体４側において、下側軸金具１２を敷居側（床面）に、上側受け金具２３を鴨居側に装着する。
【００２４】
一方、扉３側においては、下端面に下側受け金具２３の取付板１１３を当接させ、上端面に上側軸金具２１の取付板２２２を当接させて、それぞれ所定数のネジ３０で堅固に固定する。この際、両金具の本体基端面（垂直面）を扉３の前面に当接させることにより、扉枠体４において想定した位置に扉３の閉状態における前面位置を一致させることができる。
【００２５】
扉３に下側受け金具２３と上側軸金具２１とが装着されたら、扉３を立てて扉枠体４に近接させ、扉３の前面をやや前傾させながら、先に下側受け金具２３を下側軸金具２１に枢着軸１２１を介して係合させて下側蝶番Ａを形成し、次いで、上側軸金具２１の底面に露出しているピポット軸２１１のフランジ２１１ｃを指でつまんで、バネ２１４の付勢力に抗して下方向に引き下げながら、上側受け金具２３の受け穴２３１位置にピポット軸２１１の先端が合致する位置まで移動させ、２１１ｃを離してピポット軸２１１の大径部２１１ａを受け穴部材２３２の受け穴２３２ａに突出・挿入させることにより扉３を開閉自在に扉枠体４に蝶着させることができる。
【００２６】
そして、扉３が扉枠体４に取り付けられた後、扉３が閉じた状態において扉枠体４に対する左右位置のズレを、例えば下側受け金具１１のカバー体８１に露出している左右調整ネジ６１と、上側軸金具１２のカバー体８２に露出している左右調整ネジ６２とを、それぞれドライバ等の操作具（図示せず）で回転させて左右位置の調整を扉３が水平になるまで行う。
【００２７】
また、必要であれば、下側受け金具１１において、カバー体８１の頂
面に露出している上下調整ネジ７１をドライバ等の操作具（図示せず）で回転させて高さ調整を行う。このように、本実施の形態では位置調整手段の操作部分が扉３の前方に持ち出されて固定されているので扉閉状態でも容易に調整することができるのできわめて調整作業が容易である。
【００２８】
特に、本実施の形態では、上側蝶番Ｂの軸部材２１２および下側蝶番Ａの受け穴部材１１２がそれぞれ扉３面に沿うネジ溝を有していないガイド軸５１，５２により左右方向に移動可能に配置されており、扉３面に沿う左右調整ネジ６１，６２によりきわめて容易且つ円滑に左右方向に安定した状態で調節が可能である。
【００２９】
また、扉３の荷重もガイド軸５１によって充分に支持することができる。尚、本実施の形態では左右調整ネジ６１，６２は単に軸部材２１２，受け穴部材２３２を移動させるために配置したものであり、片持ち式としているが、ガイド軸５１，５２のように、下側軸金具１１のコ字形の基板１１４互いに対向する側壁１１５ａ，１１５ｂ間に貫通・架設して支持する構成とすることも可能であり、この場合には更に左右方向のガイドが良好であるとともに強度も増加する。
【図面の簡単な説明】
【００３０】
【図１】本発明の実施の形態における下側蝶番を示す斜視図。
【図２】本発明の実施の形態における上側蝶番を示す斜視図。
【図３（ａ）】図１における下側受け金具の横断面図。
【図３（ｂ）】図１における下側受け金具についての受け穴部材の位置が異なる状態の横断面
【図３（ｃ）】図１における下側受け金具のＸ１−Ｘ１線に沿う断面図。
【図３（ｄ）】図１における下側受け金具のＸ２−Ｘ２線に沿う断面図。
【図３（ｅ）】図１における下側受け金具のＹ１−Ｙ１線に沿う断面図。
【図４（ａ）】図２における上側軸金具の横断面図。
【図４（ｂ）】図２における上側軸金具のピポット軸の位置が異なる状態の横断面図。
【図４（ｃ）】図２における上側軸金具のＸ３−Ｘ３線に沿う断面図。
【図４（ｄ）】図２における下側受け金具のＹ２−Ｙ２線に沿う断面図。
【符号の説明】
【００３１】
Ａ  下側蝶番、  Ｂ  上側蝶番、  ３  扉、  ４  扉枠体、  １１  下側受け金具、  １２  下側軸金具、  ２１  上側軸金具、  ５１，５２  ガイド軸、  ６１，６２  左右調整ネジ、  １１２  受け穴部材、  １１１  受け穴、  １２１  枢着軸、  ２１１  ピボット軸、  ２１２  軸部材、  ２２２  取付板
【図１】
2007100427.tif 000003
【図２】
2007100427.tif 000004
【図３ａ】
2007100427.tif 000005
【図３ｂ】
2007100427.tif 000006
【図３ｃ】
2007100427.tif 000007
【図３ｄ】
2007100427.tif 000008
【図３ｅ】
2007100427.tif 000009
【図４ａ】
2007100427.tif 000010
【図４ｂ】
2007100427.tif 000011
【図４ｃ】
2007100427.tif 000012
【図４ｄ】
2007100427.tif 000013